(57)【要約】抽選番号を管理発行するラッキーサーバ１００と、ラッキーサーバ１００に接続、ラッキー抽選カード３００を読み取り書込み或いはラッキー抽選券４００を印刷発行するラッキー端末２００と、抽選番号が０個から複数個まで記録できるラッキー抽選カード３００と、抽選番号が１個以上記録できるラッキー抽選券４００と、を備えることを特徴とするラッキー抽選システム１０を提供することによって、企業と消費者、さらに社会と国にメリットをもたらすことを可能とする。  ラッキーサーバ１００に必要なソフトウェアとデータをインストール又は記憶、加盟店２にラッキー端末２００を設置、お客様３にラッキー抽選カード３００を発行、お客様３が加盟店２に利益をもたらすことによって、抽選番号を獲得、抽選行事で当選番号があれば、当選金が貰える。
2016167371.tif 000002
【特許請求の範囲】
【請求項１】
抽選番号を管理発行するラッキーサーバと、ネットで前記ラッキーサーバと接続、ラッキー抽選カードを読取書込み或いはラッキー抽選券を印刷発行するラッキー端末と、前記ラッキー抽選カードと、前記ラッキー抽選券と、を備えることを特徴とするラッキー抽選システムであって、
前記ラッキーサーバは、
サーバ通信ユニットと、
2016167371.tif 000016
記憶ユニットと、
検証ユニットと、
データベースと、
を備え、
前記サーバ通信ユニットは、
前記ラッキー端末からの客情報を受信する手段と、
前記ラッキー抽選カードの更新データ或いはラッキー抽選券の印刷データを前記ラッキー端末に返信する手段と、
を備え、
前記記憶ユニットは、
前記ラッキー抽選カードと前記ラッキー端末に関するデータを記憶する手段と、
前記ラッキーサーバと前記ラッキー端末との交信を記憶する手段と、
を備え、
前記検証ユニットは、
前記記憶ユニットにあるデータに基づいて前記客情報などの有効性を検証する手段、
を備え、
2016167371.tif 000017
前記客情報を処理し、前記データベースから適当個数の抽選番号を抽出して前記ラッキー抽選カードの更新データ或いはラッキー抽選券の印刷データを作り上げって提供する手段と、
前記記憶ユニットを更新する手段と、
を備え、
前記データベースは、
2016167371.tif 000018
選番号において、同じ種類同じ抽選日の抽選番号はそれぞれ異なる、重複抽選番号がないこと）の検索、抽出、加工する手段、
を備え、
前記ラッキー端末は、
お客様ユニットと、
端末通信ユニットと、
記録ユニットと、
を備え、
前記お客様ユニットは、
客情報（客情報とはお客様が無料で抽選番号を獲得できるような情報、例えば商品又はサービスを購入する、インタビューに参加するなどがある、そしてお客様が前記ラッキー抽選カードを提示する場合、ラッキー抽選カードにあるデーダも客情報に含まれる）を登録する手段、
を備え、
前記端末通信ユニットは、
前記お客様ユニットに登録した客情報を前記ラッキーサーバに送信する手段と、
前記ラッキーサーバからの返信を受信する手段と、
を備え、
前記記録ユニットは、
前記サーバ通信ユニットから送信されたデータに基づいて、前記ラッキー抽選カードの記録を更新する手段と、
ラッキー抽選券の印刷発行をする手段と、
を備え、
前記ラッキー抽選カードは、
前記ラッキー端末に情報データの読取書込み手段と、
１枚のラッキー抽選カードに０個から複数個までの抽選番号を記録できることと、
カード番号と、
抽選番号と、
ポイント数と、
抽選日と、
当選金支払う期間などと、
を備え、
前記ラッキー抽選券は、
前記ラッキー端末によって印刷発行されことと、
１枚のラッキー抽選カードに１個から複数個までの抽選番号を記録できることと、
発行日と、
ラッキー端末番号と、
抽選番号と、
抽選日と、
当選金を支払う期間などと、
を備えること、
を特徴とするラッキー抽選システム。
【請求項２】
請求項１記載のラッキー抽選システムのラッキーサーバであって、
サーバ通信ユニットと、
2016167371.tif 000019
記憶ユニットと、
検証ユニットと、
データベースと、
を備え、
前記サーバ通信ユニットは、
前記ラッキー端末からの客情報を受信する手段と、
前記ラッキー抽選カードの更新データ或いはラッキー抽選券の印刷データを前記ラッキー端末に返信する手段と、
を備え、
前記記憶ユニットは、
前記ラッキー抽選カードと前記ラッキー端末に関するデータを記憶する手段と、
前記ラッキーサーバと前記ラッキー端末との交信を記憶する手段と、
を備え、
前記検証ユニットは、
前記記憶ユニットにあるデータに基づいて前記客情報などの有効性を検証する手段、
を備え、
2016167371.tif 000020
前記客情報を処理し、前記データベースから適当個数の抽選番号を抽出して前記ラッキー抽選カードの更新データ或いはラッキー抽選券の印刷データを作り上げて提供する手段と、
前記記憶ユニットを更新する手段と、
を備え、
前記データベースは、
2016167371.tif 000021
選番号において、同じ種類同じ抽選日の抽選番号はそれぞれ異なる、重複抽選番号がないこと）の検索、抽出、加工する手段、
を備えること、
を特徴とするラッキー抽選システムのラッキーサーバ。
【請求項３】
請求項１記載のラッキー抽選システムのラッキー端末であって、
お客様ユニットと、
端末通信ユニットと、
記録ユニットと、
を備え、
前記お客様ユニットは、
客情報（客情報とはお客様が無料で抽選番号を獲得できるような情報、例えば商品又はサービスを購入する、インタビューに参加するなどがある、そしてお客様が前記ラッキー抽選カードを提示する場合、ラッキー抽選カードにあるデータも客情報に含まれる）を登録する手段、
を備え、
前記端末通信ユニットは、
前記お客様ユニットに登録した客情報を前記ラッキーサーバに送信する手段と、
前記ラッキーサーバからの返信を受信する手段と、
を備え、
前記記録ユニットは、
前記サーバ通信ユニットから送信されたデータに基づいて、前記ラッキー抽選カードの記録を更新する手段と、
ラッキー抽選券の印刷発行をする手段と、
を備えること、
を特徴とするラッキー抽選システムのラッキー端末。
【請求項４】
請求項３記載のラッキー抽選システムのラッキー端末であって、
レジスタ機能をさらに備えること、
を特徴とするラッキー抽選システムのラッキー端末。
【請求項５】
請求項３請求項４記載のラッキー端末を備える自動販売機（自動券売機を含む）であって、
ラッキー端末を更に備えること、
を特徴とする自動販売機。
【請求項６】
請求項１記載のラッキー抽選システムのラッキー抽選カードであって、
前記ラッキー端末に情報データの読取り書込みできることと、
１枚のラッキー抽選カードに０個から複数個までの抽選番号を記録することができることと、
発行時抽選番号が０個である場合、抽選の資格がないことと、
カード番号と、
抽選番号と、
ポイント数と、
抽選日と、
当選金を支払う期間など、
を備えること、
を特徴とするラッキー抽選システムのラッキー抽選カード。
【請求項７】
請求項１記載のラッキー抽選システムのラッキー抽選券であって、
前記ラッキー端末によって印刷発行されることと、
１枚のラッキー抽選カードに１個から複数個までの抽選番号を記録できることと、
発行された段階から抽選の資格があることと、
発行日と
ラッキー端末番号と、
抽選番号と、
抽選日と、
当選金を支払う期間などと、
を備えること、
を特徴とするラッキー抽選システムのラッキー抽選券。
【請求項８】
抽選番号を管理発行するラッキーサーバと、ネットで前記ラッキーサーバと接続され、ラッキー抽選カードを読み取り書込み或いはラッキー抽選券を印刷発行するラッキー端末と、前記ラッキー抽選カードと、前記ラッキー抽選券と、
を備え、
2016167371.tif 000022
ニットと、データベースと、を備え、前記サーバ通信ユニットは、前記ラッキー端末からの客情報を受信する手段と、前記ラッキー抽選カードの更新データ或いはラッキー抽選券の印刷データを前記ラッキー端末に返信する手段と、
を備えることを特徴とするラッキー抽選方法であって、
ラッキーサーバに、ラッキー抽選カードのデータ更新、ラッキー抽選券の印刷発行に関するソフトウェアをインストール、ラッキーサーバに繋がるラッキー端末そして発行するラッキー抽選カードに関するデータ等を記憶させるステップと、
一台のラッキーサーバに対して複数台のラッキー端末を設置することと、ラッキー抽選カードを統一発行するステップと、
お客様ユニットに客情報を入力（お客様がラッキー抽選カードを提示した場合そのカードデータを読み取り）するステップと、
お客様ユニットに入力した客情報を端末通信ユニットからサーバ通信ユニットに送信するステップと、
検証ユニットが記憶ユニットにあるデータを参照して客情報などの有効性を検証、無効であれば即中止、有効であれば次に進むステップと、
2016167371.tif 000023
刷データを作り上げて提供する、そして、前記記憶ユニットを更新するステップと、
サーバ通信ユニットはラッキー抽選カードの更新データ或いはラッキー抽選券の印刷データをラッキー端末に返信して交信内容を保存するステップと、
記録ユニットは、サーバ通信ユニットから送信されたデータに基づき、ラッキー抽選カードの記録を更新する或いはラッキー抽選券を印刷発行するステップと、
ラッキー抽選カード或いはラッキー抽選券に記録した抽選番号をもって、ラッキー抽選カード或いはラッキー抽選券に記録した抽選日に抽選に参加するステップと、
規則ルールに従って、当選番号を有するラッキー抽選カード或いはラッキー抽選券をもって当選金を受取るステップと、
を含まれることを特徴とするラッキー抽選方法。
【発明の詳細な説明】
【技術分野】
【０００１】
本発明の実施形態は、ラッキー抽選システムと、ラッキーサーバと、ラッキー端末と、ラッキー抽選カードと、ラッキー抽選券と、ラッキー抽選方法などに関する。
【背景技術】
【０００２】
従来、販売促進などの目的で、商業施設（ネットショップなどを含む）など特定の場所にて顧客にポイントカードを配り、買い物につきポイントを充てる、又は買い物につき顧客に抽選チャンスを与え、当選者に当選金、賞品又はそれらに相当するサービスを提供することがある。
しかし顧客の購買行動が、場所、商品（サービス）、会員制などに制限されることが多く、ポイント、抽選チャンスを得るために必要以上に買い物をし、後で後悔する消費者が一部にいる為、トラブルになりやすい一方、販売促進の効果が不安定で予測しにくい。
ポイントカード、抽選チャンスが限れた一部の店、一部の商品（サービス）でしか得られない今までの状態はネット産業発達現状に合わなくなること。
【発明の概要】
【発明が解決しようとする課題】
【０００３】
如何に顧客を増やし、顧客を楽しませる、如何に商品、店舗、会員制等に制限されないように、顧客が自己流の消費スタイルでも無料のポイント、無料の抽選チャンスを得ることができるか、ということを本発明の課題とした。
本発明は、会員制ではないラッキー抽選カード、ラッキー抽選券を発行して、実体ショップかネットショップかを問わず、ラッキー加盟店であれば、顧客がどんな商品どんなサービスを購入しても、無料ポイント、無料抽選チャンスを得られるラッキー抽選システム及びラッキー抽選方法を提供することを目的とした。
【課題を解決するための手段】
【０００４】
上記課題を解決するため、本発明のある観点によれば、抽選番号を管理発行するラッキーサーバと、ネットで前記ラッキーサーバと接続、ラッキー抽選カードを読み取り書込み或いはラッキー抽選券を印刷発行するラッキー端末と、を備え、前記ラッキー抽選カードと、前記ラッキー抽選券と、を発行することを特徴とするラッキー抽選システムであって、
2016167371.tif 000003
ニットと、データベースと、を備え、前記サーバ通信ユニットは、前記ラッキー端末からの客情報を受信する手段と、前記ラッキー抽選カードの更新データ或いはラッキー抽選券の印刷データを前記ラッキー端末に返信する手段と、を備え、前記記憶ユニットは、前記ラッキー抽選カードと前記ラッキー端末に関するデータを記憶する手段と、前記ラッキーサーバと前記ラッキー端末との交信を記憶する手段と、を備え、前記検証ユニットは、前記記憶ユニットにある
2016167371.tif 000004
記客情報を処理し、前記データベースから適当個数の抽選番号を抽出して前記ラッキー抽選カードの更新データ或いはラッキー抽選券の印刷データを作り上げって提供する手段と、前記記憶ユニットを更新する手段と、を備え、前記データベースは、抽選番号に関するソフトウェア
2016167371.tif 000005
抽選日の抽選番号はそれぞれ異なる、重複抽選番号がないこと）の検索、抽出、加工する手段、を備え、
前記ラッキー端末は、お客様ユニットと、端末通信ユニットと、記録ユニットと、を備え、前記お客様ユニットは、客情報（客情報とはお客様が無料で抽選番号を獲得できるような情報、例えば商品又はサービスを購入する、インタビューに参加するなどがある、そしてお客様が前記ラッキー抽選カードを提示する場合、ラッキー抽選カードにあるデーダも客情報に含まれる）を登録する手段、を備え、前記端末通信ユニットは、前記お客様ユニットに登録した客情報を前記ラッキーサーバに送信する手段と、前記ラッキーサーバからの返信を受信する手段と、を備え、前記記録ユニットは、前記サーバ通信ユニットから送信されたデータに基づいて、前記ラッキー抽選カードの記録を更新する手段と、ラッキー抽選券の印刷発行する手段と、を備え、
前記ラッキー抽選カードは、前記ラッキー端末に情報データを読取書込みができることと、１枚のラッキー抽選カードに０個から複数個までの抽選番号を記録できることと、カード番号と、抽選番号と、ポイント数と、抽選日と、当選金を支払う期間などと、を備え、
前記ラッキー抽選券は、前記ラッキー端末によって印刷発行されることと、１枚のラッキー抽選カードに１個から複数個までの抽選番号を記録できることと、発行日と、ラッキー端末番号と、抽選番号と、抽選日と、当選金支払う期間などと、
を備えることを特徴とするラッキー抽選システムが提供される。
2016167371.tif 000006
ユニットと、記憶ユニットと、検証ユニットと、データベースと、を備え、前記サーバ通信ユニットは、前記ラッキー端末からの客情報を受信する手段と、前記ラッキー抽選カードの更新データ或いはラッキー抽選券の印刷データを前記ラッキー端末に返信する手段と、を備え、前記記憶ユニットは、前記ラッキー抽選カードと前記ラッキー端末に関するデータを記憶する手段と、前記ラッキーサーバと前記ラッキー端末との交信を記憶する手段と、を備え、前記検証ユニットは、前記記憶ユニットにあるデータに基づいて前記客情報などの有効性を検証する手
2016167371.tif 000007
選番号を抽出して前記ラッキー抽選カードの更新データ或いはラッキー抽選券の印刷データを作り上げって提供する手段と、前記記憶ユニットを更新する手段と、を備え、前記データベー
2016167371.tif 000008
号（抽選番号において、同じ種類同じ抽選日の抽選番号はそれぞれ異なる、重複抽選番号がないこと）の検索、抽出、加工する手段、を備えること、を特徴とするラッキー抽選システムのラッキーサーバが提供される。
又は、上記課題を解決するため、本発明のある観点によれば、お客様ユニットと、端末通信ユニットと、記録ユニットと、を備え、前記お客様ユニットは、客情報（客情報とはお客様が無料で抽選番号を獲得できるような情報、例えば商品又はサービスを購入する、インタビューに参加するなどがある、そしてお客様が前記ラッキー抽選カードを提示する場合、ラッキー抽選カードにあるデーダも客情報に含まれる）を登録する手段、を備え、前記端末通信ユニットは、前記お客様ユニットに登録した客情報を前記ラッキーサーバに送信する手段と、前記ラッキーサーバからの返信を受信する手段と、を備え、前記記録ユニットは、前記サーバ通信ユニットから送信されたデータに基づいて、前記ラッキー抽選カードの記録を更新する手段と、ラッキー抽選券の印刷発行する手段と、を備えること、を特徴とするラッキー抽選システムのラッキー端末が提供される。
又は、上記課題を解決するため、本発明のある観点によれば、レジスタ機能を更に備えることを特徴とするラッキー抽選システムのラッキー端末が提供される。
又は、上記課題を解決するために、本発明のある観点によれば、自動販売機（自動券売機を含む）にラッキー端末を更に備えることを特徴とする自動販売機が提供される。
又は、上記課題を解決するために、本発明のある観点によれば、前記ラッキー端末に情報データを読取書込みができることと、１枚のラッキー抽選カードに０個から複数個までの抽選番号を記録することができることと、発行時抽選番号が０個である場合、抽選の資格がないことと、カード番号と、抽選番号と、ポイント数と、抽選日と、当選金を支払う期間など、を備えること、を特徴とするラッキー抽選システムのラッキー抽選カードが提供される。
又は、上記課題を解決するため、本発明のある観点によれば、前記ラッキー端末によって印刷発行されることと、１枚のラッキー抽選カードに１個から複数個までの抽選番号を記録できることと、発行から抽選の資格があることと、発行日と、ラッキー端末番号と、抽選番号と、抽選日と、当選金を支払う期間などと、を備えること、を特徴とするラッキー抽選システムのラッキー抽選券が提供される。
又は、上記課題を解決するため、本発明の他の観点によれば、抽選番号を管理し発行するラッキーサーバと、ネットで前記ラッキーサーバと接続され、ラッキー抽選カードを読み取り書込み或いはラッキー抽選券を印刷発行するラッキー端末と、前記ラッキー抽選カードと、前記
2016167371.tif 000009
記憶ユニットと、検証ユニットと、データベースと、を備え、前記サーバ通信ユニットは、前記ラッキー端末からの客情報を受信する手段と、前記ラッキー抽選カードの更新データ或いはラッキー抽選券の印刷データを前記ラッキー端末に返信する手段と、を備えることを特徴とするラッキー抽選方法であって、ラッキーサーバに、ラッキー抽選カードのデータ更新、ラッキー抽選券の印刷発行に関するソフトウェアをインストール、ラッキーサーバに繋がるラッキー端末そして発行するラッキー抽選カードに関するデータ等を記憶させるステップと、一台のラッキーサーバに対して複数台のラッキー端末を設置することと、ラッキー抽選カードを統一発行するステップと、お客様ユニットに客情報を入力（お客様がラッキー抽選カードを提示した場合そのカードデータを読み取り）するステップと、お客様ユニットに入力した客情報を端末通信ユニットからサーバ通信ユニットに送信するステップと、検証ユニットが記憶ユニットにあるデータを参照して客情報などの有効性を検証、無効であれば即中止、有効であれば次に進
2016167371.tif 000010
ー抽選券の印刷データを作成する、そして、記憶ユニットを更新するステップと、サーバ通信ユニットはラッキー抽選カードの更新データ或いはラッキー抽選券の印刷データをラッキー端末に返信して交信内容を保存するステップと、記録ユニットは、サーバ通信ユニットから送信されたデータに基づき、ラッキー抽選カードの記録を更新する或いはラッキー抽選券を印刷発行するステップと、ラッキー抽選カード或いはラッキー抽選券に記録した抽選番号をもって、ラッキー抽選カード或いはラッキー抽選券に記録した抽選日の抽選に参加するステップと、規則ルールに従って、当選番号を有するラッキー抽選カード或いはラッキー抽選券をもって当選金を受取るステップと、を含まれることを特徴とするラッキー抽選方法が提供される。
さらに、加盟店の指定口座と特定消費税口座を銀行に備え、ラッキーサーバから指定口座と特定消費税口座管理銀行に情報を提供することによって消費税が自動的に指定口座から特定消費税口座に引き落とすことができるので、加盟店には会計処理の負担が軽減されるメリットがある一方、銀行には消費税を申告納付するまで資金の活用できるメリットがある、さらに国の消費税徴収効率アップにも繋がることが想像できる。
【発明の効果】
【０００５】
本発明は商品又はサービスを販売する商人に斬新な販売促進手段、商品又はサービスを買うなど商人の利益をもたらすお客様に当選金がもらえる抽選チャンス、を提供することによって、商人の商売にプラス、お客様の日常生活に夢をもたらす、結果的に消費全般を促進、社会消費に活気をもたらすことになる。さらに、本発明の実行に伴い、税収の効率がアップされ、財政にも有利になること。
【図面の簡単な説明】
【０００６】
図１は本発明のラッキー抽選システム１０の概略構成を示す説明図である。
図２は本発明のラッキー抽選システム１０の１例を示す説明図である。
図３は本発明のラッキー抽選システム１０の他の１例を示す説明図である。
図４は本発明のラッキーサーバ１００、ラッキー端末２００の構成の１例を示すブロック図である。
図５は本発明のラッキー抽選カード３００の１例を示す説明図である。
図６は本発明のラッキー抽選券４００の１例を示す説明図である。
図７は本発明のラッキー抽選システム１０の流れを示す説明図である。
【発明を実施するための形態】
【０００７】
商品又はサービスを販売する商人に、予測可能、有効且つ安定的な販売促進手段と、商品又はサービスを買うなど商人に利益をもたらす顧客に、無料で抽選チャンスを与えて明るい夢と、を提供するという目的を、ラッキーサーバ１００とラッキー端末２００とを備え、ラッキー抽選カード３００、ラッキー抽選券４００を発行するラッキー抽選システム１０によって実現した。
【実施例】
【０００８】
図１は本発明の１実施例のラッキー抽選システム１０概略構成を示す説明図であって、抽選番号を管理発行するラッキーサーバ１００と、ネットでラッキーサーバ１００と接続され、ラッキー抽選カード３００を読み取り書き込み或いはラッキー抽選券４００を印刷発行するラッキー端末２００と、ラッキー抽選カード３００と、ラッキー抽選券４００と、を備えることを特徴とする。
ラッキー端末２００は、客情報４を受け取って、ネット５００を通じてラッキーサーバ１００に送信して返信を求める、
ラッキーサーバ１００は、送信された客情報４に基づいて返信データを作り上げって、ラッキー端末２００に返信する、
ラッキー端末２００は、返信データに基づいてラッキー抽選カード３００の記録を更新、或はラッキー抽選券４００を印刷発行する。
ラッキー抽選カード３００にあるデータが、ラッキー端末２００によって読取られて、客情報４の一部として転送され、そして新しいデータがラッキー端末２００によって書き込まれて、ラッキー抽選カード３００の記録を更新される。
ラッキー抽選カード３００を使わない場合、ラッキー抽選券４００がラッキー端末２００によって印刷発行される。ラッキー抽選券４００にある抽選番号はラッキー抽選カード３００のと同じ内容効果である。
又、１つのラッキーサーバ１００に対して複数のラッキー端末２００を接続されるであること、ラッキー抽選カード３００、ラッキー抽選券４００はそれぞれ複数であること。
図２は本発明のラッキー抽選システム１０の１例を示す説明図であって、中には運営者１、加盟店２、お客様３がある。その加盟店２、お客様３はそれぞれ複数であって、加盟店２は運営者１と加盟契約を交わした商品又はサービスを提供する者である、お客様３は加盟店の利益をもたらす者、例えば買い物、アンケート調査に協力などがある。又、運営者１はラッキー抽選システム１０の運営管理者であって、ラッキー抽選カード３００、ラッキー抽選券４００の発行者である。
運営者１と加盟店２とお客様３との間には、数多くの丸番号付き矢印を有する線によって繋がっている、その丸番号はそれぞれの矢印を区別して説明しやすくするためであって、かならずしも流れの順番ではないこと。
丸１矢印は、運営者１が加盟店２にラッキー端末２００をラッキーサーバ１００と繋がるように設置して、サービスを提供することであって、その見返りに運営者１が加盟店２からの加盟料手数料など収入が得られることである（丸９矢印）。
丸２矢印は、運営者１がラッキー抽選カード３００を販売発行してお客様に持たせることであって、その代わりに運営者１がカード販売料を収入することである（丸３矢印）。
しかし、本発明の趣旨はお客様が無料でラッキー抽選チャンスを獲得できることであって、ラッキー抽選カード３００をお金で買うということは発明の趣旨に合わないでは、というような疑問があることは想像できる、ここで説明したいのは、本発明のラッキー抽選カード３００の特徴の一つは、抽選番号が記録されてないラッキー抽選カード３００においては、抽選に参加することができないことである。一般的に、新しく発行されるラッキー抽選カード３００に抽選番号が０個であって、抽選に参加することができない。又は、ラッキー抽選カード３００を持たないお客様３にはラッキー抽選券４００が発行されることで、ラッキー抽選チャンスを獲得することができる。ここで、お客様３がお金で買うのは使いやすい、保管しやすいラッキー抽選カード３００そのものであって、ラッキー抽選チャンスではないこと。
丸４矢印は、お客様３と加盟店２との間に商品又はサービスを売買する、またはお客様３が市場調査に協力するなど加盟店２の利益をもたらすことを示す。お客様３が加盟店に利益をもたらすことによって、加盟店からラッキー抽選用の抽選番号を無料で獲得することができるため、お客様３がラッキー抽選カード３００を提示すれば、その獲得した抽選番号がラッキー抽選カード３００に記録される（丸８矢印）、ラッキー抽選カード３００を提示しない場合、その獲得した抽選番号がラッキー抽選券４００に印刷されて発行される（丸８矢印）ことである。
丸５矢印は、お客様３のラッキー抽選カード３００のデータを客情報４の一部としてラッキー端末２００に読み取取ることである。
丸６矢印は客情報４をラッキーサーバ１００に送信、丸７矢印はラッキーサーバ１００からラッキー端末２００にラッキー抽選カード３００の記録更新データ或はラッキー抽選券４００の印刷発行データを返信することである。
丸１０矢印は、当選番号のあるラッキー抽選カード３００、ラッキー抽選券４００をもって、当選金を求めることである、
丸１１矢印は、当選金を当選者に支払ことである。
丸番号１１の破線矢印は、当選金を当選番号を発行した加盟店２に当選金を支払ことも考えられることである。
図３は本発明のラッキー抽選システム１０の他の１例を示す説明図である。図２と同じく、矢印に付いている丸番号が、あくまでもそれぞれの矢印を区別して説明しやすくするためであって、かならずしも流れの順番ではないこと。
又、丸１から丸１１までの矢印は図２と同じ説明であって、ここで省略すること。
丸１２矢印は、ラッキー抽選カード３００に企業、団体の広告或はメッセージを載せることによって広告料が入る（丸１３矢印）、その分、お客様３に安く或は無料でラッキー抽選カード３００を提供することが可能であること（丸１４矢印）。
又、ラッキーサーバ１００にあるデータを活用して消費動向、経済情報として提供する（丸１５矢印）ことによってサービス料或は協賛金などの収入を望むことができる（丸１６矢印）。
さらに、ラッキー抽選を行事にしてメディアに公開して生放送をする（丸１７矢印）ことで、協賛金などの収入が望めることである（丸１８矢印）。
図４は本発明のラッキーサーバ１００、ラッキー端末２００の構成の１例を示すブロック図
2016167371.tif 000011
記憶ユニット１４０と、検証ユニット１２０と、データベース１５０と、を備え、サーバ通信ユニット１１０は、ラッキー端末２００からの客情報４を受信する手段と、ラッキー抽選カード３００の更新データ或いはラッキー抽選券４００の印刷データをラッキー端末２００に返信する手段と、を備え、記憶ユニット１４０は、ラッキー抽選カード３００とラッキー端末２００に関するデータを記憶する手段と、ラッキーサーバ１００とラッキー端末２００との交信を記憶する手段と、を備え、検証ユニット１２０は、記憶ユニット１４０にあるデータに基づい
2016167371.tif 000012
データベース１５０から適当個数の抽選番号を抽出してラッキー抽選カード３００の更新データ或いはラッキー抽選券４００の印刷データを作り上げって提供する手段と、記憶ユニット１４０を更新する手段と、を備え、データベース１５０は、抽選番号に関するソフトウェアによ
2016167371.tif 000013
選日の抽選番号はそれぞれ異なる、重複抽選番号がないこと）の検索、抽出、加工する手段、を備えることを特徴とすることである。
ラッキー端末２００は、お客様ユニット２１０と、端末通信ユニット２２０と、記録ユニット２３０と、を備え、お客様ユニット２１０は、客情報４（客情報４とはお客様が無料で抽選番号を獲得できるような情報、例えば商品又はサービスを購入する、インタビューに参加するなどである、そしてお客様がラッキー抽選カード３００を提示する場合、ラッキー抽選カード３００にあるデーダも客情報４に含まれる）を登録する手段、を備え、端末通信ユニット２２０は、お客様ユニット２１０に登録した客情報４をラッキーサーバ１００に送信する手段と、ラッキーサーバ１００からの返信を受信する手段と、を備え、記録ユニット２３０は、サーバ通信ユニット１１０から送信されたデータに基づいて、ラッキー抽選カード３００の記録を更新する手段と、ラッキー抽選券４００の印刷発行する手段と、を備えることを特徴とすることである。
図５は本発明のラッキー抽選カード３００の１例を示す説明図である。ラッキー抽選カード３００は抽選番号を記録するためであって、ラッキー端末２００に情報データを読取り書込みできる一種の記憶媒体である。１枚のラッキー抽選カード３００には、０個から複数個までの抽選番号を記録することができるが、抽選番号０個の場合は抽選資格がない。
ラッキー抽選カード３００には、カード番号と、抽選番号と、抽選番号値、ポイント数と、抽選番号限定数と、抽選日と、当選金を支払う期間などがあって、
カード番号はラッキー抽選カード３００を区別するためであって、同じ抽選日の同種類ラッキー抽選カード３００のカード番号がそれぞれ異なって、重複する同じカード番号がないこと、
抽選番号はラッキーサーバ１００から提供され、ラッキー端末２００によってラッキー抽選カード３００に記録して発行、或いはラッキー抽選券４００を印刷して発行するラッキー抽選用の番号であって、同じ抽選日の同種類ラッキー抽選カード３００の抽選番号がそれぞれ異なって、重複する同じ抽選番号がないこと、
抽選番号値とは、１個の抽選番号を獲得できるポイントの数である、例えば１個の抽選番号を獲得するのに必要なポイントが１００ポイントであったら、抽選番号値は１００、１個の抽選番号を獲得するのに必要なポイントが５００ポイントであったら、抽選番号値は５００ということ。
抽選番号値はラッキー抽選カード３００の発行するときすでにラッキー抽選カード３００に設定され、ラッキーサーバ１００に記憶されていること、又は、どのぐらいの抽選番号値でいいかは運営又は使用上の合理性のよって設定されることで、抽選番号の当選率が抽選番号値の大小によって変化するが、その変化は正比例で、お客様３又は加盟店２にとって損得は発生しないこと。又は、異なる抽選番号値の抽選番号が発行される場合、抽選は抽選番号値によってそれぞれ行い、抽選番号値１００の抽選番号は抽選番号値１００の抽選に参加することができるが、抽選番号値５００の抽選に参加することができない、同じく、抽選番号値５００の抽選番号は抽選番号値５００の抽選に参加することができるが、抽選番号値１００の抽選に参加することはできない。
ポイント数とは、お客様３が加盟店２から無料で提供され、ラッキー抽選番号を獲得するための点数である、お客様３が加盟店２に利益をもたらすことなので、加盟店２からポイントがもらえる、しかし、お客様３が加盟店２に利益をもたらす程度が異なることもあって、その程度に合わして、加盟店２からもらえるポイントも異なる。
ラッキー抽選カード３００のポイントは累積することができる。お客様３が異なる時間で、異なる加盟店２でもらったポイントが一枚のラッキー抽選カード３００に加算される。
ラッキー抽選カード３００はネット５００ショップ加盟店２にも使える、ラッキー抽選カード３００のカード番号など情報を加盟店２に伝え、その情報を加盟店２がラッキー端末２００に入力してラッキーサーバ１００に登録させれば、ポイントがそのラッキー抽選カード３００に加算される。
ラッキー抽選カード３００にポイント数が抽選番号値以上に累積されると自動的に新しい抽選番号が与えられて記録される、その分ポイント数が抽選番号値以下になる、よって、ラッキー抽選カード３００に記録されるポイント数は抽選番号値より小さい。
抽選番号限定数とはラッキー抽選カード３００に記録できる抽選番号個数の限度を示すことであって、使用上の利便性から、ラッキー抽選カード３００のサイズはポケットに入る程度で、表面に抽選番号の記録スペースが限られている、図５のラッキー抽選カード３００の場合、抽選番号記録できる数は１０個であって、抽選番号限定数も１０個であること。抽選番号限定数はすでにラッキー抽選カード３００を発行するときにラッキー抽選カード３００に設定され、ラッキーサーバ１００に記憶されていること。
抽選日とは、ラッキー抽選を行う日であって、その日に運営者１によってラッキー抽選イベント或はラッキー抽選年中行事が行われ、公正公平公開な抽選を行うこと。
当選金を支払う期間とは、当選番号のあるラッキー抽選カード３００又は当選番号のあるラッキー抽選券４００を所有する人に当選金を支払う期間を示すことである。
図６は本発明のラッキー抽選券４００の１例を示す説明図であって、ラッキー抽選券４００は抽選番号を記録するためであって、ラッキー端末２００によって印刷発行されるものである。１枚のラッキー抽選券４００には、１個から複数個までの抽選番号を記録することができ、発行してから抽選の資格が持つことである。
図６のラッキー抽選券４００には、発行番号と、抽選番号と、抽選番号値と、ラッキー端末番号と、抽選日と、当選金支払う期間などとがあって、
発行番号は抽選番号がどのラッキー抽選券４００に記録されるかを確認できるためであって、ラッキーサーバ１００からラッキー端末２００に返信するラッキー抽選券４００の印刷発行データに付けられ、ラッキーサーバ１００に記憶される。同じ抽選日の同種類ラッキー抽選券４００の発行番号はそれぞれ異なっており、重複する同じ発行番号はない。
ラッキー端末番号はラッキー抽選券４００を印刷発行するラッキー端末２００の番号であって、ラッキー抽選券４００の真偽を確認するためである。
図５のラッキー抽選カード３００と違って、図６のラッキー抽選券４００には抽選番号の個数限度がないので、いくら抽選番号がいくらあってもラッキー抽選券４００に記録することができる。
又、図６のラッキー抽選券４００にポイント数は付いてない。ラッキー抽選券４００にポイント数を付くことは可能だが、手間がかかって、経済的には合理性は少ない、結果的に抽選番号値以下のポイントは失われてしまう為、抽選番号値以下のポイントが残るように、図６のラッキー抽選券４００にポイント数を記録できる備註欄を設けることで、同じ加盟店２であれば、ポイント数の合算することが可能である。
又、抽選番号、抽選番号値、抽選日、当選金支払う期間などがあるが、基本的に図５の説明と同じで、ここでの説明は省略すること。
図７は本発明のラッキー抽選システム１０の流れを示す説明図である。通信ユニット１１０
2016167371.tif 000014
５０と、を備えるラッキーサーバ１００と、お客様ユニット２１０と、通信ユニット２２０と、記録ユニット２３０と、を備えるラッキー端末２００と、を備え、ラッキー抽選カード３００、ラッキー抽選券４００を発行する手段と、を備えることを特徴とするラッキー抽選方法であって、
ラッキーサーバ１００に、ラッキー抽選カード３００のデータ更新、ラッキー抽選券４００の印刷発行に関するソフトウェアをインストール、接続されるラッキー端末２００、発行するラッキー抽選カード３００に関するデータ等を記憶させるステップと、
ラッキーサーバ１００に接続する複数のラッキー端末２００を設置、複数のラッキー抽選カード３００を発行するステップと、
お客様ユニット２１０に客情報４を登録（お客様３がラッキー抽選カード３００を提示した場合そのカードデータを読み取って、客情報４の一部として登録）するステップと、
お客様ユニット２１０に登録した客情報４を通信ユニット２２０から通信ユニット１１０に送信するステップと、
検証ユニット１２０が記憶ユニット１４０にあるデータを参照して客情報４などの有効性を検証、無効であれば即中止、有効であれば次に進むステップと、
2016167371.tif 000015
キー抽選券４００の印刷データを作成する、そして、記憶ユニット１４０を更新するステップと、
通信ユニット１１０はラッキー抽選カード３００の更新データ或いはラッキー抽選券４００の印刷データを発行番号を付けて通信ユニット２２０に返信、交信内容を保存するステップと、
記録ユニット２３０は、サーバ通信ユニット１１０から送信されたデータに基づき、ラッキー抽選カード３００がある場合、ラッキー抽選カード３００の記録を更新する、ラッキー抽選カード３００がない場合、ラッキー抽選券４００を印刷発行するステップと、
ラッキー抽選カード３００或いはラッキー抽選券４００に記録した抽選番号をもって、ラッキー抽選カード３００或いはラッキー抽選券４００に記録した抽選日に抽選行事に参加する（抽選行事現場に行かなくても、又後日、抽選の結果を調べるのであれば抽選行事に参加したこととする）ステップと、
規則ルールに従って、当選番号を有するラッキー抽選カード３００或いはラッキー抽選券４００をもって当選金を受取るステップと、を含まれることを特徴とする。
前記実施例は本発明を説明するためであって、本発明の一部実施例に過ぎないことはいうまでもないことである、従って、本発明に基づく他の実施例も本発明の一部として保護されることである。
【産業上の利用可能性】
【０００９】
本発明はＩＴ又はネット技術を販売促進手段に活用することであって、その成果が企業にも、消費者にも、さらに社会にも国にもメリットをもたらすことが明白で、産業上の利用可能性が十分にあること。
【符号の説明】
【００１０】
１      運営者
２      加盟店
３      お客様
４      客情報
１０    ラッキー抽選システム
１００  ラッキーサーバ
１１０  通信ユニット
１２０  検証ユニット
１３０  処理ユニット
１４０  記憶ユニット
１５０  データベース
２００  ラッキー端末
２１０  お客様ユニット
２２０  通信ユニット
２３０  記録ユニット
３００  ラッキー抽選カード
４００  ラッキー抽選券
５００  ネット
【図１】
2016167371.tif 000024
【図２】
2016167371.tif 000025
【図３】
2016167371.tif 000026
【図４】
2016167371.tif 000027
【図５】
2016167371.tif 000028
【図６】
2016167371.tif 000029
【図７】
2016167371.tif 000030
【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
抽選番号を管理発行するラッキーサーバと、ネットで前記ラッキーサーバと接続、ラッキー抽選カードを読取書込み或いはラッキー抽選券を印刷発行するラッキー端末と、前記ラッキー抽選カードと、前記ラッキー抽選券と、を備えるラッキー抽選システムであって、
前記ラッキー抽選システムは、個人情報を扱わない非会員制で、店舗において、商品又はサービスの購入、インタビューの参加など店舗に利益をもたらすことにより、ラッキーサーバからポイントを発行して記憶ユニットに記憶し、記憶したポイントが所定のポイント数を超えると抽選番号を発行して記憶ユニットに記憶し、所定のポイント数を超えたポイント端数部分を次回発行したポイントと合算できるように記憶ユニットに記憶すると同時に、当該発行したポイント、抽選番号又はポイント端数を直ちにデータとしてラッキー抽選カードに内面記憶外面印字表記して記録し、当該ポイント又は抽選番号が店舗では使えないことを特徴とするラッキー抽選システムであって、
前記ラッキーサーバは、サーバ通信ユニットと、▲しょ▼理ユニットと、記憶ユニットと、検証ユニットと、データベースと、を備え、
前記サーバ通信ユニットは、前記ラッキー端末からの客情報を受信する手段と、前記ラッキー抽選カードの更新データ或いはラッキー抽選券の印刷データを前記ラッキ端末に返信する手段と、を備え、
前記記憶ユニットは、前記ラッキー抽選カードと前記ラッキー端末に関するデータを記憶する手段と、前記ラッキーサーバと前記ラッキー端末との交信を記憶する手段と、を備え、
前記検証ユニットは、前記記憶ユニットにあるデータに基づいて前記客情報などの有効性を検証する手段、を備え、
前記▲しょ▼理ユニットは、前記客情報を処理し、ポイント数又は抽選番号（前記データベースから適当個数の抽選番号を抽出する）を含む前記ラッキー抽選カードの更新データ或いはラッキー抽選券の印刷データを作り上げって提供する手段と、前記記憶ユニットを更新する手段と、を備え、
前記データベースは、抽選番号に関するソフトウェアによって管理されて、前記▲しょ▼理ユニットに応じて抽選番号（抽選番号において、同じ種類同じ抽選日の抽選番号はそれぞれ異なる、重複抽選番号がないこと）の検索、抽出、加工する手段、を備え、
前記ラッキー端末は、お客様ユニットと、端末通信ユニットと、記録ユニットと、を備え、
前記お客様ユニットは、客情報（客情報とは個人情報以外のお客様が無料で抽選番号を獲得できるような情報、例えば商品又はサービスを購入する、インタビューに参加するなどがある、そしてお客様が前記ラッキー抽選カードを提示する場合、ラッキー抽選カードにあるデータも客情報に含まれる）を登録する手段、を備え、
前記端末通信ユニットは、前記お客様ユニットに登録した客情報を前記ラッキーサーバに送信する手段と、前記ラッキーサーバからの返信を受信する手段と、を備え、
前記記録ユニットは、前記サーバ通信ユニットから送信されたデータに基づいて、前記ラッキー抽選カードの記録をデータ記憶と文字表示をして更新する手段と、ラッキー抽選券の印刷発行をする手段と、を備え、
前記ラッキー抽選カードは、非会員制の抽選用ものであって、使用期限（抽選日前）内に限度額まで繰り返して使え、ポイントをためられる、ポイントを抽選番号に変換されてためられる、残されたポイント端数を次回のポイントと合算されるように留保されることと、
ためたポイント（或いはポイント端数）と抽選番号がデータとして直ちに内面記憶外面印字表記して記録されることと、
記録がデータ更新によって直ちに更新されることと、
前記ラッキー端末に情報データの読取書込み手段と、
１枚のラッキー抽選カードに０個から複数個までの抽選番号を記録できることと、
カード番号の文字表記と、抽選日の文字表記と、当選金支払う期間の文字表記などと、
を備え、
前記ラッキー抽選券は、前記ラッキー端末によって印刷発行されことと、発行日の文字表記と、ラッキー端末番号の文字表記と、抽選番号の文字表記と、抽選日の文字表記と、当選金を支払う期間の文字表記などと、
を備えること、
を特徴とするラッキー抽選システム。
【請求項２】
請求項１記載のラッキー抽選システムのラッキーサーバであって、
サーバ通信ユニットと、
▲しょ▼理ユニットと、
記憶ユニットと、
検証ユニットと、
データベースと、
を備え、
前記サーバ通信ユニットは、
前記ラッキー端末からの客情報を受信する手段と、
前記ラッキー抽選カードの更新データ或いはラッキー抽選券の印刷データを前記ラッキー
端末に返信する手段と、
を備え、
前記記憶ユニットは、
前記ラッキー抽選カードと前記ラッキー端末に関するデータ記憶する手段と、
前記ラッキーサーバと前記ラッキー端末との交信を記憶する手段と、
を備え、
前記検証ユニットは、
前記記憶ユニットにあるデータに基づいて前記客情報などの有効性を検証する手段、
を備え、
前記▲しょ▼理ユニットは、
前記客情報を処理し、ポイント数又は抽選番号（前記データベースから適当個数の抽選番号を抽出する）を含む前記ラッキー抽選カードの更新データ或いはラッキー抽選券の印刷データを作り上げって提供する手段と、
前記記憶ユニットを更新する手段と、
を備え、
前記データベースは、
抽選番号に関するソフトウェアによって管理されて、前記▲しょ▼理ユニットに応じて抽選番号（抽選番号において、同じ種類同じ抽選日の抽選番号はそれぞれ異なる、重複抽選番号がないこと）の検索、抽出、加工する手段、
を備えること、
を特徴とするラッキー抽選システムのラッキーサーバ。
【請求項３】
請求項１記載のラッキー抽選システムのラッキー端末であって、
お客様ユニットと、
端末通信ユニットと、
記録ユニットと、
を備え、
前記お客様ユニットは、
客情報（客情報とはお客様が無料で抽選番号を獲得できるような情報、例えば商品又はサービスを購入する、インタビューに参加するなどがある、そしてお客様が前記ラッキー抽選カードを提示する場合、ラッキー抽選カードにあるデータも客情報に含まれる）を登録する手段、
を備え、
前記端末通信ユニットは、
前記お客様ユニットに登録した客情報を前記ラッキーサーバに送信する手段と、
前記ラッキーサーバからの返信を受信する手段と、
を備え、
前記記録ユニットは、
前記サーバ通信ユニットから送信されたデータに基づいて、前記ラッキー抽選カードの記録をデータ記憶と文字表示をして更新する手段と、
ラッキー抽選券の印刷発行をする手段と、
を備えること、
を特徴とするラッキー抽選システムのラッキー端末。
【請求項４】
請求項３記載のラッキー抽選システムのラッキー端末であって、
レジスタ機能をさらに備えること、
を特徴とするラッキー抽選システムのラッキー端末。
【請求項５】
請求項３請求項４記載のラッキー端末を備える自動販売機（自動券売機を含む）であって、
ラッキー端末を更に備えること、
を特徴とする自動販売機。
【請求項６】
請求項１記載のラッキー抽選システムのラッキー抽選カードであって、
非会員制の抽選用ものであることと
使用期限（抽選日前）内に限度額まで繰り返して使え、ポイントをためられる、ポイントを抽選番号に変換されてためられる、残されたポイント端数を次回のポイントと合算されるように留保されることと、
ためたポイント（或いはポイント端数）と抽選番号がデータとして直ちに内面記憶外面印字表記して記憶されることと、
記録がデータ更新によって直ちに更新されることと、
前記ラッキー端末に情報データの読取り書込みできることと、
１枚のラッキー抽選カードに０個から複数個までの抽選番号を記録できることと、
発行時抽選番号が０個である場合、抽選の資格がないことと、
カード番号の文字表記と、
抽選番号の文字表記と、
ポイント数の文字表記と、
抽選日の文字表記と、
当選金支払う期間の文字表記などと、
を備えること、
を特徴とするラッキー抽選システムのラッキー抽選カード。
【請求項７】
請求項１記載のラッキー抽選システムのラッキー抽選券であって、
前記ラッキー端末によって印刷発行されることと、
発行された段階から抽選の資格があることと、
発行日の文字表記と、
ラッキー端末番号の文字表記と、
抽選番号の文字表記と、
抽選日の文字表記と、
当選金を支払う期間の文字表記などと、
を備えること、
を特徴とするラッキー抽選システムのラッキー抽選券。
【請求項８】
抽選番号を管理発行するラッキーサーバと、ネットで前記ラッキーサーバと接続され、ラッキー抽選カードを読み取り書込み或いはラッキー抽選券を印刷発行するラッキー端末と、前記ラッキー抽選カードと、前記ラッキー抽選券と、を備えるラッキー抽選システムであって、
前記ラッキー抽選システムは、個人情報を扱わない非会員制で、店舗において、商品又はサービスの購入、インタビューの参加など店舗に利益をもたらすことにより、ラッキーサーバからポイントを発行して記憶ユニットに記憶し、記憶したポイントが所定のポイント数を超えると抽選番号を発行して記憶ユニットに記憶し、所定のポイント数を超えたポイント端数部分を次回発行したポイントと合算できるように記憶ユニットに記憶すると同時に、当該発行したポイント、抽選番号又はポイント端数を直ちにデータとしてラッキー抽選カードに内面記憶外面印字表記して記録し、当該ポイント又は抽選番号が店舗では使えないことを特徴とするラッキー抽選システムであって、
前記ラッキーサーバは、サーバ通信ユニットと、▲しょ▼理ユニットと、記憶ユニットと、検証ユニットと、データベースと、を備え、前記サーバ通信ユニットは、前記ラッキー端末からの客情報を受信する手段と、前記ラッキー抽選カードの更新データ或いはラッキー抽選券の印刷データを前記ラッキー端末に返信する手段と、を備えることを特徴とするラッキー抽選方法であって、
ラッキーサーバに、ラッキー抽選カードのデータ更新、ラッキー抽選券の印刷発行に関するソフトウェアをインストール、ラッキーサーバに繋がるラッキー端末そして
発行するラッキー抽選カードに関するデータ等を記憶させるステップと、
一台のラッキーサーバに対して複数台のラッキー端末を設置することと、ラッキー抽選カードを統一発行するステップと、
お客様ユニットに客情報を入力（お客様がラッキー抽選カードを提示した場合そのカードデータを読み取り）するステップと、
お客様ユニットに入力した客情報を端末通信ユニットからサーバ通信ユニットに送信するステップ、
検証ユニットが記憶ユニットにあるデータを参照して客情報などの有効性を検証、無効であれば即中止、有効であれば次に進むステップと、
▲しょ▼理ユニットは客情報に基づきラッキー抽選カードの更新データ或いはラッキー抽選券の印刷データを作り上げて提供する、そして、前記記憶ユニットを更新するステップと、
サーバ通信ユニットはラッキー抽選カードの更新データ或いはラッキー抽選券の印刷データをラッキー端末に返信して交信内容を保存するステップと、
記録ユニットは、サーバ通信ユニットから送信されたデータに基づき、ラッキー抽選カードの記録をデータ記憶と文字表示をして更新する或いはラッキー抽選券を印刷発行するステップと、
ラッキー抽選カード或いはラッキー抽選券に記録した抽選番号をもって、ラッキー抽選カード或いはラッキー抽選券に記録した抽選日に抽選に参加するステップと、
規則ルールに従って、当選番号を有するラッキー抽選カード或いはラッキー抽選券をもって当選金を受取るステップと、を含まれることを特徴とするラッキー抽選方法。
【国際調査報告】
2016167371.tif 000031
2016167371.tif 000032
2016167371.tif 000033
2016167371.tif 000034